(57)【要約】      （修正有） 【課題】袋体内に封入した味噌をサーバーに連接するためのスパウトの提供とし、特にサーバーとの着脱を容易にすると共に外部に漏れないスパウトであって、取り扱いが容易であり耐久性の高いスパウトの提供をする。【解決手段】袋体に接着乃至溶着する両側面を有する土台部１０と、土台部に連なる頸部１１と、頸部に連なるサーバーに連接する連接部１２よりなる導通路１３を有するスパウト１であって、土台部の両側面は袋体の表裏面によって挟み込んで接着乃至溶着し、その両端方向は鋭角よりなり中央部の両面部分は弧状面であり、頸部には鍔部１１１，１１２を有する連接用スパウトによる。【選択図】図１
0003118860.tif 000002
【実用新案登録請求の範囲】
【請求項１】
袋体に接着乃至溶着する両側面を有する土台部１０と、土台部１０に連なる頸部１１と、頸部１１に連なるサーバーに連接する連接部１２よりなる導通路１３を有するスパウトであって、
該土台部１０の両側面は袋体の表裏面によって挟み込んで接着乃至溶着するものであって、両端方向は鋭角よりなると共に中央部の両面部分は弧状面にて構成し、
頸部１１には鍔部を有することを特徴とする連接用スパウト。
【請求項２】
袋体内に封入した味噌を、味噌汁用のサーバーに送るための味噌汁用のサーバーへ前記袋体を連接するための連接用スパウトであって、 
該袋体に接着乃至溶着する両側面を有する土台部１０と、土台部１０に連なる頸部１１と、頸部１１に連なるサーバーに連接する連接部１２を有すると共にその内部を貫通する導通路１３を有するスパウトであり、
袋体内の味噌は導通路１３を通ってサーバーに送るものであり、
該土台部１０の両側面は袋体の表裏面によって挟み込んで接着乃至溶着するものであって、土台部の両側面は一定幅を有する帯状の面からなると共に該土台部１０の両側面の両端方向は鋭角より、
更に中央部の両面部分は弧状面にて構成したことを特徴とする味噌汁用サーバーとの連接用スパウト。
【請求項３】
頸部１１に鍔部を有することを特徴とする請求項２記載の連接用スパウト。
【請求項４】
頸部１１にサーバーの口径に合致する太径部を有することを特徴とする請求項１乃至３のいずれかに記載の連接用スパウト。
【請求項５】
土台部１０の両側面の帯状の面に数条のリブを設けたことを特徴とする請求項１乃至４のいずれかに記載の連接用スパウト。
【請求項６】
連接部１２に螺子部１２１を有し、サーバーとの連接を該螺子部により着脱自在に行うと共に、保管・運搬に際しては螺子部によりキャップを着脱自在に装着するものであることを特徴とする請求項１乃至５のいずれかに記載の連接用スパウト。
【考案の詳細な説明】
【技術分野】
【０００１】
本考案は、味噌汁の提供に際しての定量の味噌を排出する味噌汁サーバーに装着する味噌を封入した袋を該味噌汁サーバーに連接するための連接用スパウトに関する。
【背景技術】
【０００２】
従来より飲食店等においては、業務用の味噌を定量取り分けて御椀内に入れた後に湯を 足して味噌汁を調理作成し、提供しているものである。
このため、例えば業務用の味噌の封入している袋体内から別容器に味噌を取り分けて、この容器から一杯分ずつの味噌を取り出して、味噌を調理することは多用されているものである。
しかし、これらの方法では定量をひとつずつ人の手で取り分けて調理することは手間が掛かり、簡単にかつ誰でも定量が取り分けられる何らかの装置が望まれていた。
【考案の開示】
【考案が解決しようとする課題】
【０００３】
これに対して、業務用の味噌を用いて一杯ずつの定量を提供できる味噌汁サーバーが用いられている。
これは、例えば袋体内に封入している味噌を該サーバーに装着し、袋体内の味噌を一旦サーバー内に取り込んで或いはサーバー内を通過して、その際に一杯ずつの量を測り、一度に一杯分の味噌を送り出すことのできる味噌汁提供用の味噌汁サーバーである。
このサーバーに関しては、味噌を予め入れるための容器を有して、該容器から味噌を定量取り分けるものの他、業務用の袋体に封入している味噌について連接具を用いてサーバーに連接して定量の味噌を取り分ける構成のサーバーも存在する。
【０００４】
この場合、袋体に設けた連結部分はどうしても力が加わることから、袋体の裂けや破れが起き易く、何らかの解決策が望まれている。
更に、サーバーとの着脱を容易にすると共に外部に漏れない何らかの対策が望まれている。
従って、着脱自在であって取り扱いが容易であると共に、耐久性の高い連接具が望まれているものである。
【課題を解決するための手段】
【０００５】
本考案は係る課題を解決するものであり、係るため請求項１記載の考案は、袋体に接着乃至溶着する両側面を有する土台部と、土台部に連なる頸部と、頸部に連なるサーバーに連接する連接部よりなる導通路を有するスパウトであって、該土台部の両側面は袋体の表裏面によって挟み込んで接着乃至溶着するものであって、両端方向は鋭角よりなると共に中央部の両面部分は弧状面にて構成し、頸部には鍔部を有する連接用スパウトよりなり、係る考案によって前記課題を解決できる。
【０００６】
又、請求項２記載の考案は、袋体内に封入した味噌を、味噌汁用のサーバーに送るための味噌汁用のサーバーへ前記袋体を連接するための連接用スパウトであって、該袋体に接着乃至溶着する両側面を有する土台部と、土台部に連なる頸部と、頸部に連なるサーバーに連接する連接部を有すると共にその内部を貫通する導通路を有するスパウトであり、袋体内の味噌は導通路を通ってサーバーに送るものであり、該土台部の両側面は袋体の表裏面によって挟み込んで接着乃至溶着するものであって、土台部の両側面は一定幅を有する帯状の面からなると共に該土台部の両側面の両端方向は鋭角よりなると共に中央部の両面部分は弧状面にて構成した味噌汁用サーバーとの連接用スパウトであり、同様に前記課題を解決できる。
【０００７】
或いは請求項３に記載の考案のように頸部に鍔部を有するものでも、請求項４に記載の考案のように頸部にサーバーの口径に合致する太径部を有するものでも、請求項５に記載の考案のように土台部の両側面の帯状の面に数条のリブを設けた連接用スパウトでもよい。
又、請求項６に記載の連接部に螺子部を有し、サーバーとの連接を該螺子部により着脱自在に行うと共に、保管・運搬に際しては螺子部によりキャップを着脱自在に装着する連接用スパウトでもよい。
【考案の効果】
【０００８】
本考案によって、業務用の味噌を用いて一杯ずつの定量を提供できる味噌汁サーバーを用いる場合に、味噌を予め入れるための容器とサーバーとを連接するためのスパウトの提供を 可能とするものである。
特に袋体内の味噌をサーバーに送る際の連結部分においてスパウトと袋体の密着を高めると共に袋体の裂けや破れを防止し、更にはきっちりとスパウトを袋体に配設可能とすることができる。
更に本スパウトはサーバーとの連接に際して位置決めをきっちりと行えると共にサーバーへの連接を確実し、その取り扱いが容易であって耐久性の高いスパウトの提供ができる。
【考案を実施するための最良の形態】
【０００９】
本考案に係る連接具の一例である連接用スパウトの一実施の状態を図１に示す。
まず、スパウト本体１は袋体との接着乃至は溶着用の土台部１０と、この土台部１０に連なる頸部１１と、この頸部１１に連なる連接部１２からなり、連接部１２には螺子部１２１が設けられている。
更に頸部１１には鍔部１１１、１１２を有しているものである。
又、土台部１０から頸部１１、連接部１２にわたって略円筒形状を基調とし、その内部に貫通する導通路１３を有している。
【００１０】
本スパウトは袋体の一端辺部に装着するものであり、袋体の表裏面によって土台部１０を挟み込んで接着乃至溶着するものである。
即ち、該土台部１０はその両側面に一定幅を有する帯状の面１００、１０１を有しており、この両側面に袋体のそれぞれの面が接着乃至溶着するものである。
一定の幅に関しては、任意の幅であればよいものであり、特定の幅をさすものではない。
少なくとも袋体の面と接着乃至は溶着可能な一定幅を有していればよいものを指し、両側面の一定の長さの幅でなくて位置によって幅の長さが異なるものであっても一定幅に含まれるものである。
【００１１】
更に、この様に構成している両側面の両端部は、それぞれ鋭角にて突出して形成し、これに連なる中央部分の両面部分は弧状面にて構成されており、袋体の表裏面にて密着状態で装着できるものである。
更に連接部１２はサーバー側の味噌挿入口に装着するものであり、本図に示す構成はねじ込み装着可能に螺子部１２１を有しているものである。
従って、必要に応じて着脱できるものである。
更に頸部１１には鍔部１１１、１１２を有しており、この鍔部１１２でサーバーの味噌挿入口等との連接した際の隙間を覆うことができると共に挿入位置の位置決め等にも用いることが可能である。
【００１２】
尚、本図に示す構成においては鍔部１１２に連設してサーバー側の味噌挿入口に装着した際の味噌挿入口の口径に合致し太径部１１４を有しており、この太径部１１４がサーバー側の味噌挿入口に挿入することにより、きっちりと嵌め込むことができ、ズレや抜けを防止できるものである。
尚、本考案にかかる連接用スパウトは樹脂製からなるものであり、例えばポリエチレン製などであればよい。
但し、樹脂製に限らず金属製や他の素材によって構成されるものであってももちろんよい。
【００１３】
図２は、 図１に示すスパウト１が袋体２に溶着している一例を示す図であり、袋体２の一端辺部に本考案にかかるスパウト１が溶着によって装着されている状態の一例を示す。
この様に構成することにより、袋体２内に味噌を入れた状態で味噌汁提供用の味噌汁サーバーに装着することにより、袋体内の味噌をサーバー側に導通路１３を通って送ることができる。
本図に示す袋体は例えばポリアミドを用いた樹脂シートによって構成されるものを示すが、これに限らず他の樹脂シートで作成されたものでももちろんよい。
【００１４】
図３は図２のＡ−Ａ線断面図であり、土台部１０及びこれに接着乃至は溶着している表裏のシート地２を示す図である。
本図に示す土台部１０は、シートが折れ曲がった状態で或いは極端に角度を有した状態で接着乃至溶着等しないように両端部が鋭角にて突出して形成しこれに連なる中央部分は弧状にて両面構成し、滑らかな弧状に沿って袋体の表裏面が密着状態で接着乃至は溶着するものである。
従って、この接着乃至溶着部分に力が掛かった場合であっても力を全体に分散することができ、この接着乃至溶着部分の周囲での袋体との剥がれや破れ或いは裂け等を防ぐことができる。
【００１５】
図４は、本考案に係る連接用スパウトの他の一実施の状態を示す図である。
本図に示すスパウト１に関しても図１と同様に袋体との接着乃至は溶着用の土台部１０と、この土台部１０に連なる頸部１１とこの頸部１１に連なる連接部１２からなり、連接部１２には螺子部１２１が設けられている。
この場合、まず土台部１０の両側面の帯状の面１００、１０１に関しては袋体のシート地との接触面において帯状の数条よりなるリブ構成にて形成されている。
この様に構成することにより数条のリブの部分で袋体と溶着することとなり、一条のリブにおける溶着強度を増すことができ、これを四条有することから溶着部分の全体的な溶着強度が高まり、溶着剥がれを防止できることとなる。
【００１６】
従って、複数条のリブを有していることによって溶着強度を保てると共に例えば四条程度有することによって極めて効率よく溶着可能となる。
また、土台部１０は両端部が同様に鋭角にて突出して形成してはいるが、ここから中央部分に向けて直線状の斜線形状にて構成し、中央部分おいてアール形状で全体的に直線を基調として構成したものである。
更に頸部１１には鍔部よりなる位置合わせ用の係止部１１３を有している。
尚、 本図に示す位置合わせ用の係止部１１３は一例であり、味噌汁用のサーバーの位置決め具の形状に応じて任意の構成を持っていればよい。
次に、頸部１１には鍔部１１１、１１２を有しており、この鍔部１１１、１１２でサーバーの味噌挿入口との連接した際の隙間を覆うと共に挿入口への挿入位置の位置決めをすることができる。
【００１７】
尚、連設部１２には螺子部１２１を有しており、サーバーへの装着は螺子止めにて行うものである。
これらのように螺子部１２１を有することによりサーバーへの着脱を容易にすると共にその装着を確実にするものであるが、本図に示すのは一例であり、サーバー側の挿入口への装着が螺子止めでない場合にはもちろん他の係止具によって着脱自在の装着できるものであればよい。
更に、図１と同様に土台部１０から頸部１１、連接部１２にわたって略円筒形状を基調とし、その内部に貫通する導通路１３を有している。
【００１８】
もとより、この導通路１３を通って袋体内の味噌をサーバーに送るものである。
又、本明細書上図面においてスパウトは円筒形状を基調として明示するが、これに限らず角柱形状を基調としたものであってもよく、円筒に限定されるものではない。
更に導通路に関しても貫通孔であればよくその形状は任意でよい。
更に図１乃至図４に示す連設部１２の螺子部１２１に関しては、袋体内に味噌を封入した状態でのサーバーへの装着前の段階において、キャップをもって該導通路を封鎖しているものであってよい。
これによって、運搬や保管の便宜が図られ、更には使用時に簡単にキャップを取り外すことができることとなる。
【図面の簡単な説明】
【００１９】
【図１】本考案に係る連接用スパウトの一例を示す図
【図２】図１に示すスパウトを袋体に装着した一例を示す図
【図３】図２のＡ−Ａ線断面図
【図４】本考案に係る連接用スパウトの他の一例を示す図
【符号の説明】
【００２０】
１      スパウト本体
１０    土台部
１００  面
１０１  面  
１１    頸部
１１１  鍔部
１１２  鍔部
１１３  係止部
１１４  太径部
１２    連接部
１２１  螺子部
１３    導通路
２      袋体    
【図１】
0003118860.tif 000003
【図２】
0003118860.tif 000004
【図３】
0003118860.tif 000005
【図４】
0003118860.tif 000006